(57)【要約】【課題】  自然状況を含む画像の所望の構図での撮影の失敗を防ぐための事前の準備を行うことができるカメラを提供する。【解決手段】  被写体を撮影する撮影部３２と、前記撮影部からの撮影信号に基づいてスルー画を表示する表示部２２と、自己位置を測定する自己位置測定部１２と、前記撮影部による撮影方位を測定する方位測定部１４と、天体の位置及び軌跡を算出するための情報を格納する記憶部４６と、前記自己位置、前記撮影方位及び前記情報を用いて前記天体の位置及び軌跡の演算を行う天体位置演算部８と、前記天体位置演算部により算出された前記天体の位置及び軌跡を前記スルー画に重畳表示する表示制御部２４と、前記表示部における所定の場所を指定する操作部２６と、前記操作部により指定された前記天体の位置に基づいて撮影定数を設定する設定部８とを備える。【選択図】  図１
2012004763.tif 000002
【特許請求の範囲】
【請求項１】
被写体を撮影する撮影部と、
前記撮影部からの撮影信号に基づいてスルー画を表示する表示部と、
自己位置を測定する自己位置測定部と、
前記撮影部による撮影方位を測定する方位測定部と、
天体の位置及び軌跡を算出するための情報を格納する記憶部と、
前記自己位置、前記撮影方位及び前記情報を用いて前記天体の位置及び軌跡の演算を行う天体位置演算部と、
前記天体位置演算部により算出された前記天体の位置及び軌跡を前記スルー画に重畳表示する表示制御部と、
前記表示部における所定の場所を指定する操作部と、
前記操作部により指定された前記天体の位置に基づいて撮影定数を設定する設定部と
を備えることを特徴とするカメラ。
【請求項２】
前記表示制御部は、前記所定の場所に前記天体が位置するまでの残り時間を表示することを特徴とする請求項１記載のカメラ。
【請求項３】
前記操作部は、操作キーまたはタッチパネルにより構成されることを特徴とする請求項１または２記載のカメラ。
【請求項４】
前記設定部は、太陽光のスペクトルに基づいて前記撮影定数を設定することを特徴とする請求項１〜３の何れか一項に記載のカメラ。
【請求項５】
写真の出来映えを指定する指定部
を備え、
前記設定部は、前記指定部により指定された前記出来映えに応じて前記撮影定数を設定することを特徴とする請求項１〜４の何れか一項に記載のカメラ。
【発明の詳細な説明】
【技術分野】
【０００１】
本発明は、カメラに関するものである。
【背景技術】
【０００２】
シミュレーション演算により求めた天体の運行軌跡をスルー画上に重畳表示することができるカメラが知られている（例えば、特許文献１参照）。このカメラにおいては、運行軌跡に基づく天体の位置を用いて自然状況を含む画像を所望の構図で撮影を行うことができる。
【先行技術文献】
【特許文献】
【０００３】
【特許文献１】特許第３５６９０９７号公報
【発明の概要】
【発明が解決しようとする課題】
【０００４】
しかし、このカメラにおいては自然状況を含む画像を所望の構図で撮影する際の露出値・ホワイトバランス値等の撮影定数の設定を使用者が行わなければならず、露出不足等により所望の画像の撮影に失敗する虞があった。
【０００５】
本発明の目的は、自然状況を含む画像の所望の構図での撮影の失敗を防ぐための事前の準備を行うことができるカメラを提供することである。
【課題を解決するための手段】
【０００６】
本発明に係るカメラは、被写体を撮影する撮影部と、前記撮影部からの撮影信号に基づいてスルー画を表示する表示部と、自己位置を測定する自己位置測定部と、前記撮影部による撮影方位を測定する方位測定部と、天体の位置及び軌跡を算出するための情報を格納する記憶部と、前記自己位置、前記撮影方位及び前記情報を用いて前記天体の位置及び軌跡の演算を行う天体位置演算部と、前記天体位置演算部により算出された前記天体の位置及び軌跡を前記スルー画に重畳表示する表示制御部と、前記表示部における所定の場所を指定する操作部と、前記操作部により指定された前記天体の位置に基づいて撮影定数を設定する設定部とを備えることを特徴とする。
【発明の効果】
【０００７】
本発明に係るカメラによれば、自然状況を含む画像の所望の構図での撮影の失敗を防ぐための事前の準備を行うことができる。
【図面の簡単な説明】
【０００８】
【図１】本発明の実施の形態に係るカメラのシステム構成を示すブロック図である。
【図２】本発明の実施の形態に係るカメラのＬＣＤ表示部に表示された画像を示す図である。
【図３】本発明の実施の形態に係るカメラのＬＣＤ表示部に表示された画像を示す図である。
【図４】本発明の実施の形態に係るカメラのＬＣＤ表示部に表示された画像を示す図である。
【図５】本発明の実施の形態に係るカメラの操作部を示す図である。
【発明を実施するための形態】
【０００９】
以下、図面を参照して本発明の実施の形態に係るカメラについて説明する。図１は、実施の形態に係るカメラのシステム構成を示すブロック図である。カメラ２はＣＰＵ８を備え、ＣＰＵ８には、位置姿勢情報Ｉ／Ｆ１０、音声を取得するマイク及び音声を出力するスピーカ等を備える音声入出力部１８、スルー画や地図等を表示するＬＣＤ表示部２２の表示制御を行う表示制御部２４、透明電極により構成されＬＣＤ表示部２２に表示された画面に対する入力操作を受け付けるタッチパネル２６、鏡筒部２８内に設けられた一部のレンズを駆動するモータ制御部３０、鏡筒部２８内に設けられたレンズを介して被写体を撮像するＣＣＤ或いはＣＭＯＳ等により構成される撮像素子３２、撮像素子３２から出力された撮像信号に対して図示しないＡ／Ｄ変換部によりＡ／Ｄ変換を行い生成された画像データに対して画像処理を行う画像処理部３６、情報記憶部４０、フォルダ内にＥｘｉｆ等の所定のファイル形式で画像データを記憶するメモリカード４４、プログラムメモリ４６、Bluetooth、Ｗｉ−Ｆｉ、３Ｇ、ＬＴＥ（Long Term Evolution）等の通信方式によりインターネット等のネットワークを介してｗｅｂサーバとの間で情報の送受信等を行う無線通信部４８が接続されている。
【００１０】
ここで、位置姿勢情報Ｉ／Ｆ１０には、ＧＰＳ衛星から受信した信号に基づいて自己位置を測定するＧＰＳ１２、カメラ２の撮影方位を計測する電子コンパス等の方位センサ１４、水平面に対するカメラ２の仰角を測定する重力センサ１６が接続されている。また、情報記憶部４０にはＧＰＳ１２により測定した位置情報や方位センサ１４により計測した方位情報、重力センサ１６により計測した仰角、撮影に用いる露出値、ホワイトバランス値等の撮影定数が記憶され、プログラムメモリ４６にはＬＣＤ表示部２２における表示、制御等を行うプログラムや太陽・月等の天体の位置や軌跡の演算を行うためのデータやプログラム、後述するルックアップテーブル（ＬＵＴ）や評価測光を用いた撮影定数の演算を行うプログラム等が格納されている。なお、ＧＰＳ１２は３Ｄ測位により使用者の自己位置の標高についても測定を行う構成としてもよい。ここで、測定した標高を後述する天体の位置や軌跡の演算に用いる場合にはジオイド高を考慮した標高を用いる。
【００１１】
図示しない電源ボタンによりカメラ２の電源がオンにされると、ＣＰＵ８は、撮像素子３２による被写体の撮像を開始し、スルー画をＬＣＤ表示部２２に表示する。
【００１２】
次に、例えば、ＬＣＤ表示部２２に天体撮影モードの選択を示すアイコンが表示されている場合に、タッチパネル２６を用いて使用者により当該アイコンがタッチされる等所定の操作が行われると、ＣＰＵ８は表示制御部２４を制御してＬＣＤ表示部２２に撮影対象となる天体の種類を選択するための選択画面を表示する。この選択画面において太陽・月等の天体の種類の選択が行われると、ＣＰＵ８はプログラムメモリ４６に格納されているデータや演算プログラムを用いて選択された天体の位置や軌跡の演算を行う。
【００１３】
即ち、天体の位置や軌跡は、方位センサ１４により測定したカメラ２の撮影方位、ＧＰＳ１２により測定した自己位置、重力センサ１６により測定した仰角を観測地点及び観測方向として、プログラムメモリ４６に格納された演算プログラムにより算出する。なお、演算プログラムは、天体の軌跡を表す既知の関数を利用するものである。このとき、天体の位置や軌跡の演算はカメラ２が水平面に対して水平であることを前提として行うため、重力センサ１６により測定した仰角が水平面に対して著しく傾いている場合には、ＬＣＤ表示部２２に「カメラを水平に保持してください」等の警告を表示するようにしてもよい。
【００１４】
天体の位置や軌跡を算出すると、図２に示すように表示制御部２４は現在及び現在から所定時間後の天体位置を示す天体の画像５０をスルー画上に重畳表示する。また、図２に示すように天体の画像５０を表示した場所に天体が実際に位置する時刻５２を表示してもよい。なお、図２においては天体が太陽である例を示している。
【００１５】
次に、スルー画上に重畳表示した天体の画像５０の何れかが使用者によりタッチパネル２６を用いて選択されると、天体が選択された位置に到達するまでの残り時間５４を表示すると共に、選択された位置における撮影定数の設定を行う。撮影定数の設定は例えば、ＬＵＴを参照することにより行う。ＬＵＴには天体が太陽である場合における撮影定数として、日の出・南中・日の入り等の太陽の位置や、緯度、季節によるスペクトルの違いを考慮した実写または計測に基づくホワイトバランス値が設定されている。また、天体が月である場合における撮影定数として、月齢を加味した露出量が設定されている。
【００１６】
また、この撮影定数の設定においては、スルー画中に存在する山や建物等の遮蔽物の影響を考慮した評価測光による測光結果も考慮される。ここで、評価測光においては、撮像素子３２または図示しない測光部を用いた多分割測光により光量の少ない部分を遮蔽物として判断する。そして、遮蔽物の大きさに基づいてプログラムメモリ４６に格納されたプログラムを用いて演算を行い、撮影定数の露出量の補正値を定める。ここで、プログラムメモリ４６には複数の評価測光プログラムが格納されている。即ち、使用者の好みに合わせて遮蔽物をはっきり撮影するか、シルエットとして撮影するか等の写真の出来映えを選択することができ、表示制御部２４は写真の出来映えを選択する選択メニューをスルー画上に表示する。
【００１７】
このとき、表示制御部２４は、選択された写真の出来映えに応じて設定される撮影定数を用いて撮影を行った場合のイメージをＬＣＤ表示部２２にプレビュー表示する。
【００１８】
情報記憶部４０は、タッチパネル２６を用いて選択された構図となる時刻及びその構図での撮影定数を記憶する。これにより、カメラ２を三脚等に固定し、所望の構図となる時刻にタイマー撮影を行うことができる。
【００１９】
また、所望の構図となる時刻まで時間がある場合には、使用者が所望の構図となる時刻及び撮影定数の設定を行った地点を離れたり、他の被写体の撮影を行ったりする場合もあるため、所望の構図となる時刻及び撮影定数と共に、ＧＰＳ１２により測定した使用者の自己位置、方位センサ１４により計測した撮影方位、重力センサ１６により測定した仰角についても記憶してもよい。
【００２０】
この場合には、所望の構図となる時刻が近づくと、ＧＰＳ１２により測定した自己位置、方位センサ１４により測定した撮影方位、重力センサ１６により測定した仰角と、情報記憶部４０に記憶した自己位置、撮影方位、仰角と一致するか否か確認し、一致する場合にはＣＰＵ８は情報記憶部４０に記憶されている撮影定数を再度設定する。これにより、使用者は所望の構図で画像の撮影を行うことができる。
【００２１】
なお、一致しない場合にはスルー画上に撮影位置を何れの方向にずらせばよいのか、撮影方位を何れの方向どの程度変更すればよいのか、カメラの角度をどの程度傾ければよいのか等を重畳表示してもよい。
【００２２】
また、図３に示すようにＬＵＴ及び評価測光により設定された撮影定数の調整を行う構成としてもよい。天体の軌跡及び位置の演算を行い、ＬＵＴ及び評価測光を用いて設定した撮影定数を示すバー５６をスルー画上に重畳表示する。使用者によりタッチパネル２６を用いてバー５６に表示されたポインタ５９の移動が行われると、露出値、ホワイトバランス値を調整することができる。また、露出値、ホワイトバランス値が調整されると、ＬＣＤ表示部２２におけるプレビュー表示を変更された露出値、ホワイトバランス値を用いて撮影した場合のイメージに変更する。なお、図３においては縦方向に表示されたバー５６により露出値を変更することができ、横方向に表示されたバー５６によりホワイトバランス値が変更することができる例を示している。
【００２３】
本実施の形態に係るカメラによれば、自然状況を含む画像の所望のレイアウトでの撮影の失敗を防ぐための事前の準備を行うことができる。
【００２４】
また、評価測光を撮影定数の設定に用いることで、遮蔽物と天体とが重なる場合においても使用者の所望する撮影画像を得ることができる。
【００２５】
また、本実施の形態に係るカメラは、ＧＰＳ１２により測定した自己位置、方位センサ１４により測定した撮影方位、重力センサ１６により測定した仰角を用いて天体の位置や軌跡の演算を行う。従って、標高が異なると国立天文台等から提供される日の出、日の入り時刻と実際の日の出、日の入り時刻が若干異なる場合があるが、提供された日の出、日の入り時刻を用いる場合と比べて使用者の位置に応じた日の出や日の入り等の時刻をより精度よく得られ、使用者が所望の構図で撮影を行うことができる。
【００２６】
また、ダイヤモンド富士等の大気光学現象、日食、月食等の天体現象等特別な条件において発生する現象を失敗することなく撮影することができる。この場合において、カレンダー機能やＧＰＳ機能と連動させて使用者に対して報知を行ってもよい。カレンダー機能と連動させる場合には、スルー画上に「今日の２０時ごろ、月食が観測できます」などの表示を行う。また、ＧＰＳ１２により計測した使用者の自己位置では特別な条件において発生する現象を観測することができないが、所定距離移動すれば観測できる場合に「東へ３０ｋｍ移動すれば観測可能です」などの移動方向及び移動距離を示す表示を行ってもよい。また、特別な条件において発生する現象の撮影を使用者の所望の地点で行う場合には、ＧＰＳ１２により測定した使用者の自己位置、方位センサ１４により測定した撮影方位、重力センサ１６により測定した仰角を記憶することにより地点登録を行い、当該地点において特別な条件において発生する現象が撮影可能な日時を報知してもよい。なお、特別な条件において発生する現象が撮影可能な日時は、プログラムメモリ４６に格納されたデータを用いて演算を行って算出してもよいし、無線通信部４８を用いてインターネット等のネットワークを介してｗｅｂサーバ等から取得してもよい。
【００２７】
また、タッチパネル２６を用いてスルー画に表示されている山が指定された場合に、当該山について特別な条件において発生する現象が撮影可能な場所を地図上に表示してもよい。また、当該山の推奨される撮影スポットを無線通信部４８を用いてインターネット等のネットワークを介してｗｅｂサーバ等から取得し、地図上に表示してもよい。
【００２８】
なお、上述の実施の形態においては、操作部としてタッチパネル２６を用いる構成を例に説明したが、図５に示すように操作部として十字キー５８を用いてもよい。この場合には、図４に示すようにスルー画上にカーソル６０を表示し、表示制御部２４は十字キー５８における操作指示に応じてカーソル６０を移動することにより、使用者は所望の構図における天体の位置を指定することができる。
【００２９】
また、上述の実施の形態においては、天体の例として太陽及び月について説明したが、太陽に限られず、金星等の惑星や恒星、彗星であってもよい。
【００３０】
また、上述の実施の形態においては、複数の測光評価プログラムを有することにより使用者の好みに合わせて遮蔽物をはっきり撮影するか、シルエットとして撮影するか等の写真の出来映えの選択が可能な構成として説明したが、オートブラケット撮影を行う構成としてもよい。
【００３１】
また、上述の実施の形態においては、カメラ２がＧＰＳ１２を備える構成として説明したが、カメラ２がＧＰＳ１２を備えない場合においては外付けのＧＰＳを用いてもよい。
【００３２】
また、上述の実施の形態においては、カメラ２が重力センサ１６を備える構成として説明したが、カメラ２が水平であるか否か、即ち、重力方向に対して垂直であるか否かを判定する水平判定部を用いてもよい。この場合には、カメラ２が水平ではない場合にはＬＣＤ表示部２２に「カメラを水平に保持してください」等の警告を表示する。
【００３３】
また、上述の実施の形態において重力センサ１６が仰角を測定する構成として説明したが、重力センサ１６により俯角についても測定可能な構成としてもよい。俯角を測定することにより、例えば山の頂上から日の入りや日の出を撮影する場合においても撮影定数の設定を行うことができる。
【００３４】
上述の実施の形態においては、演算プログラムを用いて算出された天体の位置や軌跡に基づいてスルー画上に重畳表示される天体の画像５０の何れかが使用者によりタッチパネル２６を用いて選択する構成を例に説明したが、天体の画像５０で示される天体の位置では所望の構図とならない場合には使用者は撮影場所を移動することもできる。例えば、タッチパネル２６を用いて撮影画面において天体を位置させたい場所が指定されると、所望の構図で撮影できる位置及び撮影場所の移動に必要な時間を算出し表示してもよい。
【００３５】
また、撮影場所を移動せずに所望の構図を撮影したい場合にはタッチパネル２６を用いて所望の構図における天体の位置を指定することにより、何月何日の何時何分頃に所望の構図での撮影が可能である旨の表示を行ってもよい。
【符号の説明】
【００３６】
２…カメラ、８…ＣＰＵ、１２…ＧＰＳ、１４…方位センサ、１６…重力センサ、２２…ＬＣＤ表示部、２４…表示制御部、２６…タッチパネル、３２…撮像素子、４０…情報記憶部、４６…プログラムメモリ
【図１】
2012004763.tif 000003
【図２】
2012004763.tif 000004
【図３】
2012004763.tif 000005
【図４】
2012004763.tif 000006
【図５】
2012004763.tif 000007